(57)【特許請求の範囲】
【請求項１】
上部の入力軸（３９）を軸装する入力伝動ケース（１０）と、下端部の耕耘軸（３，４）を軸装する耕耘軸ケース（２）と、入力伝動ケース（１０）と耕耘軸ケース（２）との間を、伝動軸（４１）の外周を覆うパイプ材からなる伝動軸ケース（８）で連結して耕耘伝動ケース（１）を構成し、
耕耘軸ケース（２）に左右一対の耕耘軸（３，４）を外側端下りの屈折角を有して軸装し、これら耕耘軸（３，４）はそれぞれ耕耘軸ケース（２）の左右両側部にベアリング（５４）で軸受けする構成とし、一方の耕耘軸（３）の内端には内歯ギヤー（５）を一体形成し、他方の耕耘軸（４）には平ギヤー（７）を一体形成し、内歯ギヤー（５）内に平ギヤー（７）を嵌合させた状態で噛合させる構成とし、一方の耕耘軸（３）の内端面を円弧状面（Ｃ）に形成し、各耕耘軸（３，４）の内端面を接触する構成とし、
入力伝動ケース（１０）内には、入力軸（３９）と伝動軸（４１）との間に正転ベベルギヤ（５９）と逆転ベベルギヤ（６０）とを設け、正転ベベルギヤ（５９）と逆転ベベルギヤ（６０）との間を、シフター（６２）で操作される切替クラッチ（６３）を掛け替えることによって、耕耘軸（３，４）を正転と逆転とに回転伝動方向を切替える構成とし、シフター（６２）を操作する耕耘変速レバー（１６）と、耕耘変速レバー（１６）を案内する変速レバーガイドと、前記シフター６２とを、入力伝動ケース（１０）の一側に偏位して設けたことを特徴とするロータリ耕耘装置。
【発明の詳細な説明】
【０００１】
【発明の属する技術分野】
この発明は、ロータリ耕耘装置に関し、主としてハンドトラクタ車体の後部に装着して、車体側のエンジンによって伝動回転される耕耘軸の耕耘爪によって耕耘するものである。
【０００２】
【従来の技術】
耕耘伝動ケースを耕耘幅の中央部に設けるセンタードライブ形態のロータリ耕耘装置では、耕耘伝動ケース直下の残耕部をなくするために、左右の耕耘軸を外側端下りに屈折角を有して軸装した技術が知られている。
【０００３】
【発明が解決しようとする課題】
この発明は残耕処理形態のロータリ耕耘装置の構成を小形、軽量にして、作業性をよくするものである。しかし、センタードライブ形態の耕耘装置では、耕耘伝動ケースが幅広くなるに伴って残耕部も広くなり、左右の耕耘軸が屈折角を有して伝動される伝動機構が煩雑化して大形化、重量化され易い。又、この耕耘伝動ケースの他、車体に対するヒッチによる取付状態や、耕耘フレーム等の構成も不安定化になり易く、作業操作も行い難い。
【０００４】
【課題を解決するための手段】
請求項１に記載の発明は、上部の入力軸（３９）を軸装する入力伝動ケース（１０）と、下端部の耕耘軸（３，４）を軸装する耕耘軸ケース（２）と、入力伝動ケース（１０）と耕耘軸ケース（２）との間を、伝動軸（４１）の外周を覆うパイプ材からなる伝動軸ケース（８）で連結して耕耘伝動ケース（１）を構成し、
耕耘軸ケース（２）に左右一対の耕耘軸（３，４）を外側端下りの屈折角を有して軸装し、これら耕耘軸（３，４）はそれぞれ耕耘軸ケース（２）の左右両側部にベアリング（５４）で軸受けする構成とし、一方の耕耘軸（３）の内端には内歯ギヤー（５）を一体形成し、他方の耕耘軸（４）には平ギヤー（７）を一体形成し、内歯ギヤー（５）内に平ギヤー（７）を嵌合させた状態で噛合させる構成とし、一方の耕耘軸（３）の内端面を円弧状面（Ｃ）に形成し、各耕耘軸（３，４）の内端面を接触する構成とし、入力伝動ケース（１０）内には、入力軸（３９）と伝動軸（４１）との間に正転ベベルギヤ（５９）と逆転ベベルギヤ（６０）とを設け、正転ベベルギヤ（５９）と逆転ベベルギヤ（６０）との間を、シフター（６２）で操作される切替クラッチ（６３）を掛け替えることによって、耕耘軸（３，４）を正転と逆転とに回転伝動方向を切替える構成とし、シフター（６２）を操作する耕耘変速レバー（１６）と、耕耘変速レバー（１６）を案内する変速レバーガイドと、前記シフター６２とを、入力伝動ケース（１０）の一側に偏位して設けたことを特徴とするロータリ耕耘装置の構成としたので、耕耘軸３，４間の駆動力伝達がスムースに行える。
【０００５】
【０００６】
【０００７】
【０００８】
【発明の効果】
請求項１に記載の発明は、上部の入力軸（３９）を軸装する入力伝動ケース（１０）と、下端部の耕耘軸（３，４）を軸装する耕耘軸ケース（２）と、入力伝動ケース（１０）と耕耘軸ケース（２）との間を、伝動軸（４１）の外周を覆うパイプ材からなる伝動軸ケース（８）で連結して耕耘伝動ケース（１）を構成し、耕耘軸ケース（２）に左右一対の耕耘軸（３，４）を外側端下りの屈折角を有して軸装し、これら耕耘軸（３，４）はそれぞれ耕耘軸ケース（２）の左右両側部にベアリング（５４）で軸受けする構成とし、一方の耕耘軸（３）の内端には内歯ギヤー（５）を一体形成し、他方の耕耘軸（４）には平ギヤー（７）を一体形成し、内歯ギヤー（５）内に平ギヤー（７）を嵌合させた状態で噛合させる構成とし、一方の耕耘軸（３）の内端面を円弧状面（Ｃ）に形成し、各耕耘軸（３，４）の内端面を接触する構成とするため、円滑な伝動を行わせて、この耕耘軸ケース（２）の伝動構成を小形、軽量化して簡潔な構成とすることができ、耕耘軸ケース（２）の左右幅を狭く構成でき、伝動強度も十分に維持し易く、残耕幅を狭くして、残耕処理を行い易くするものである。
【０００９】
また、入力伝動ケース（１０）内には、入力軸（３９）と伝動軸（４１）との間に正転ベベルギヤ（５９）と逆転ベベルギヤ（６０）とを設け、正転ベベルギヤ（５９）と逆転ベベルギヤ（６０）との間を、シフター（６２）で操作される切替クラッチ（６３）を掛け替えることによって、耕耘軸（３，４）を正転と逆転とに回転伝動方向を切替える構成とし、切替クラッチ（６３）を操作する耕耘変速レバー（１６）と、耕耘変速レバー（１６）を案内する変速レバーガイドと、前記シフター６２とを、入力伝動ケース（１０）の一側に偏位して設けたことを特徴とする請求項１記載のロータリ耕耘装置の構成としたことで、耕耘変速レバー（１６）の操作が容易に行える。
【００１０】
【００１１】
【００１２】
【００１３】
【発明の実施の形態】
この発明の一実施例を図面に基づいて説明する。車輪伝動ケース２４の下端部に車輪２５を軸装した車体９の前部にエンジンベース２６でエンジン２７を搭載し、車体９上部には前後方向に振替可能のハンドルフレーム２８を設けて、この先端部に左右両側にハンドル２９を配置する。この車体９の後側には耕耘パイプ３０の周りに耕耘爪３１を配置したロータリ耕耘装値１９を連動できる。エンジン２７によって車輪２５や耕耘爪３１等を伝動回転して、ハンドル２９の操縦で走行しながら耕耘することができる。
【００１４】
前記車輪伝動ケース２４の前側にエンジンベース２６が取付けられ、上側後部にハンドルブラケット３２が取付けられる。このハンドルブラケット３２の上側に、上下方向の転向軸３３の周りにハンドルフレーム２８の基部が前後振替可能に取付けられ、後側に車体ヒッチ１８が設けられる。この車輪伝動ケース２４の上部には横方向の伝動軸３４を有し、エンジン軸３５との間をベルトケース３６内のベルトが掛けわたされて、テンションクラッチ４プーリによって張圧されて伝動される。又、この伝動軸３４の反対側にはチエンケース３７内のチエン３８が、該車体ヒッチ１８に装着のロータリ耕耘装置１９の入力軸３９との間に掛けわたされて伝動される。４０は走行変速レバーで、走行伝動ケース２４の上部内の変速ギヤ４４を操作するものである。
【００１５】
ロータリ耕耘装置１９は、上部の入力軸３９を軸装する入力伝動ケース１０と、下端部の耕耘軸３，４を軸装する耕耘軸ケース２との間を、伝動軸４１の外周を覆うパイプ材からなる伝動軸ケース８で連結して、耕耘伝動ケース１を構成する。この耕耘伝動ケース１を主として入力伝動ケース１０の前側に耕耘ヒッチ２０を有し、後側に耕耘フレーム１５を横方向のボルト４２，４３で連結する。
【００１６】
前記入力伝動ケース１０と伝動軸ケース８上端のフランジ４５との間はボルト４６締めによって取付けられる。入力伝動ケース１０の後側面に上下方向に沿って補強リブ１１が形成され、伝動軸ケース８の後側上端部にはフランジ４５にわたって補強リブ１２が形成される。これら両補強リブ１１，１２間にわたって取付けられる耕耘フレーム１５は、開放部を下側に向けたコ字状断面形態で、補強リブ１１，１２の左右両側面に嵌合させて、更にスペーサ４７を介在させて、これらの重合穴部にボルト４２，４３を通して締付固定する。このため、入力伝動ケース１０と伝動軸ケース８は、耕耘フレーム１５を介して一体的に連結されて剛性を高められる。又、この耕耘フレーム１５の前端上面は、上下方向のボルト４８によって補強リブ１１の上部に締付固定される。
【００１７】
前記側面視でコ字形の耕耘ヒッチ２０は、同形態の車体ヒッチ１８の内側に嵌合されて、左右一対のヒッチピン２２を上下方向に差込んで連結できる。締付ヒッチ２１はこの耕耘ヒッチ２０の内側に重合嵌合させた形態で、ヒッチピン２２を同時に差込んでいる。これら各ヒッチ１８，２０，２１には左右両側部に上下方向のピン穴４９，５０，５１が形成されて、これらのピン穴４９，５０，５１にわたって各ヒッチピン２２を上側から下方へ挿通させることができる。この締付ヒッチ２１と耕耘ヒッチ２０との間には、左右両側部にボルト、ナットからなる締付具２３が設けられて、この締付具２３によって両ヒッチ２０，２１間を引き寄せることにより、ヒッチピン２２との一体性を強くして、車体ヒッチ１８に対する連結状態も一体化でき、車体９に対する耕耘装置１９の左右、上下等のがたつきを少くすることができる。
【００１８】
前記耕耘フレーム１５には、耕耘カバー１３が取付けられ、後端のソケット５２部に挿通のロッド５３を介して尾輪１４が装着される。耕耘爪３１を配置する耕耘パイプ３０は、左右の耕耘軸３，４の外側部に嵌合されて取付けられる。この耕耘軸３，４は耕耘軸ケース２の左右両側部にダブルベアリング５４によって軸受けされる。各耕耘軸３，４の内端面は接近乃至接触されて、外側端部が下向きに傾斜するように屈折角Ａを有するように軸受けされる。この一側の耕耘軸３の端面は、円弧状面Ｃに形成されている。
【００１９】
耕耘軸３の内端には内歯ギヤー５が一体形成され、耕耘軸４の内端には平ギヤー７が一体成形されて、内歯ギヤー５内に平ギヤー７を嵌合させた状態で噛合させる。この平ギヤー７の外周面には、外径歯縁６が軸方向にわたって軸心径Ｂ上の円弧状に形成される。このため、両ギヤー５，７が回転連動するときの、該耕耘軸３，４の屈折角Ａに基づく回転面の揺動による噛合連動が円滑に行われる。前記伝動軸ケース８内の伝動軸４１の下端にはベベルギヤ５５を有し、耕耘軸４の内端部に平ギヤー７と接近してベベルギヤ５６を有し、これらのベベルギヤ５５，５６の噛合によって、耕耘軸３，４を伝動する。
【００２０】
このように耕耘軸３，４は屈折角Ａを有して交差状に接近されて、伝動軸ケース８内の伝動軸４１の先端延長部上で、内歯ギヤー５と平ギヤー７とを内外に嵌合して噛合連動するものであるから、耕耘軸ケース２の左右幅を狭く構成できる。
【００２１】
前記入力伝動ケース１０内には、入力軸３９と伝動軸４１との間を正、逆転のベベルギヤ５９，６０と、６１とを設け、これら正転ベベルギヤ５９と逆転ベベルギヤ６０との間を、シフター６２で操作される切替クラッチ６３を掛け替えることによって、耕耘軸３，４を正転と逆転とに回転伝動方向を切替えることができる。
【００２２】
この切替クラッチ６３を操作する耕耘変速レバー１６、この変速レバー１６を案内する変速レバーガイド、及び前記シフター６２は、入力伝動ケース１０及び耕耘フレーム１５の左側に偏位して設けられる。耕耘フレーム１５の上面に支持ボス６４が溶接されて、この支持ボス６４の横端に耕耘変速レバー１６のレバー軸６５が回動自在に支持される。このレバー軸６５はコ字状のブラケット６６を有して、このブラケット６６に耕耘変速レバー１６の基部が、上下方向に挿通されてブラケット６６と共に回動自在に支持される。これによって、耕耘変速レバー１６はレバー軸６５の回りに上下に回動できると共に、ブラケット６６を左右の方向へ回動できる。変速レバーガイド１７は、取付けステー６７を介して耕耘フレーム１５の横側方に支持される。この変速レバーガイド１７の上面にＴ字形態の案内溝６８が設けられて、該ブラケット６６の上方に突出して一体作動のガイドピン６９を中立位置から正転位置と逆転位置とに切替案内することができる。
【００２３】
前記ブラケット６６の前側に一体に突出される変速アーム７０が、シフター６２のシフターステー７１に係合されて、このシフターステー７１を左右へ移動させて、切替クラッチ６３を切替操作できる。又、ブラケット６６の上部には、牽制アーム７２を有して、ケーブル７３を介してハンドルブラケット３２上の牽制アー７４と連動する。耕耘変速レバー１６を逆転位置へ操作することによってケーブル７３連動で牽制アーム７４を作動して、走行変速レバーの後進走行への操作ができないように牽制する。
【００２４】
前記入力伝動ケース１０や耕耘フレーム１５等は、機体幅方向の略中央部に沿って配置されるため、上方のハンドルフレーム２８や走行変速レバー４０の直下に位置して装着される。この形態では、耕耘変速レバー１６がこの耕耘フレーム１５等の横側に偏位して、簡単な支持構成で装着されるため、切替操作構成が容易であり、操作も容易である。
【図面の簡単な説明】
【図１】耕耘機の側面図。
【図２】耕耘伝動ケース部の背面図。
【図３】その側面図。
【図４】その耕耘軸部の拡大図。
【図５】その耕耘伝動ケース連結部の平面図。
【図６】その耕耘フレーム部の側面図と、平面図。
【図７】その耕耘変速レバー取付部の側面図。
【図８】その平面図。
【符号の説明】
１  耕耘伝動ケース
２  耕耘軸ケース
３  耕耘軸
４  耕耘軸
５  内歯ギヤー
６  外径歯縁
７  平ギヤー
８  伝動軸ケース
９  車体
１０  入力伝動ケース
１１  補強プーリ
１２  補強プーリ
１３  耕耘カバー
１４  尾輪
１５  耕耘フレーム
１６  耕耘変速レバー
１７  変速レバーガイド
１８  車体ヒッチ
１９  耕耘装置
２０  耕耘ヒッチ
２１  締付ヒッチ
２２  ヒッチピン
２３  締付具
【図１】
0004604409.tif 000002
【図２】
0004604409.tif 000003
【図３】
0004604409.tif 000004
【図４】
0004604409.tif 000005
【図５】
0004604409.tif 000006
【図６】
0004604409.tif 000007
【図７】
0004604409.tif 000008
【図８】
0004604409.tif 000009